【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
ユーザの依頼により撮影した画像データについて、前記ユーザが操作するユーザ端末を介してネットワーク経由で前記画像データの注文を受け付ける注文受付サービスのためのシステムであって、
前記画像データを保存する画像データ保存手段と、
前記ユーザを特定する顧客情報と、前記ユーザが前記注文受付サービスにログインするための識別情報と、前記画像データの撮影を行った撮影日付とを保存するユーザ情報保存手段と、
前記ユーザ端末から前記識別情報の入力を受け付けて前記ユーザのログインを認証するログイン認証手段と、
前記注文受付サービスにログインを行ったユーザ端末に、前記画像データの画像を表示するための閲覧画面として前記ユーザごとに固有のマイページを提供する閲覧画面提供手段と、
前記マイページに表示された前記画像データの注文を受け付ける注文受付手段と、
前記画像データの閲覧ができるアクセス期間を管理するアクセス期間管理手段とを備え、
前記ユーザ情報保存手段は、前記顧客情報と前記撮影日付とを前記画像データに関連付けて保存し、
前記アクセス期間管理手段は、前記撮影日付から所定の期間を前記アクセス期間として設定し、
前記閲覧画面提供手段は、前記アクセス期間中と判断したユーザ関連の前記画像データを表示し、前記アクセス期間外と判断した前記ユーザ関連の前記画像データを表示しないようにした
ことを特徴とする注文受付システム。
【請求項２】
前記アクセス期間管理手段は、前記画像データそれぞれの前記撮影日付から所定の期間を前記アクセス期間として設定する
ことを特徴とする請求項１に記載の注文受付システム。
【請求項３】
前記閲覧画面提供手段は、前記ユーザに関連する前記アクセス期間中の前記画像データを、前記撮影日付に応じてまとめた画像カタログとして表示するようにした
ことを特徴とする請求項１又は２に記載の注文受付システム。
【請求項４】
前記アクセス期間管理手段は、前記ユーザからの注文を受けた場合に、前記アクセス期間を一定期間延長する
ことを特徴とする請求項１〜３のいずれか１項に記載の注文受付システム。
【請求項５】
前記アクセス期間管理手段は、前記撮影日付から所定の期間に加えて、年中行事の期日の前または後における所定の期間を前記アクセス期間に追加する
ことを特徴とする請求項１〜４のいずれか１項に記載の注文受付システム。
【請求項６】
前記年中行事は、正月、クリスマス、またはお盆である
ことを特徴とする請求項５に記載の注文受付システム。
【請求項７】
前記アクセス期間管理手段は、前記撮影日付から所定の期間に加えて、撮影日付から一定の期間が経過する期日の前または後における所定の期間を前記アクセス期間に追加する
ことを特徴とする請求項１〜６のいずれか１項に記載の注文受付システム。
【請求項８】
前記撮影日付から一定の期間は、１シーズン、２シーズン、３シーズン、または１年間である
ことを特徴とする請求項７に記載の注文受付システム。
【請求項９】
前記アクセス期間を経過して閲覧ができなくなった後、前記アクセス期間に所定の期間が追加されたことにより再度閲覧をできるようになった場合に、前記ユーザに前記画像データの前記アクセス期間が到来することを通知するアクセス再開通知手段を備える
ことを特徴とする請求項５〜８のいずれか１項に記載の注文受付システム。
【請求項１０】
前記アクセス期間の満了が近づいた場合に、前記ユーザに前記画像データのアクセス期間の満了が近いことを通知するアクセス期限通知手段を備える
ことを特徴とする請求項１〜９のいずれか１項に記載の注文受付システム。
【請求項１１】
前記ユーザが指定した前記画像データについて、前記マイページを介して他のユーザによる閲覧または注文が可能となるよう、前記ユーザが前記他のユーザに対して共有設定を行うマイページ共有手段を備え、
前記閲覧画面提供手段は、前記注文受付サービスにログインを行った前記他のユーザが操作するユーザ端末に、前記マイページ共有手段によって共有設定された前記画像データであるとともに前記アクセス期間中の前記画像データを表示するようにした
ことを特徴とする請求項１〜１０のいずれか１項に記載の注文受付システム。
【請求項１２】
前記ユーザが他のユーザに対して共有設定を行う際に、前記他のユーザの招待を受け付けるアカウント招待手段と、
前記他のユーザが操作する前記ユーザ端末から前記顧客情報の入力を受けて前記識別情報の登録を行うアカウント登録手段とを備え、
前記アカウント招待手段は、電子メールまたはＳＮＳのメッセージによって、前記アカウント登録手段にアクセス可能なＵＲＬを前記他のユーザに送信する
ことを特徴とする請求項１１に記載の注文受付システム。
【請求項１３】
前記ユーザが指定した前記画像データについて、前記画像データへのリンクを介して他のユーザによる閲覧または注文が可能となるよう共有設定を行うリンク共有手段を備え、
前記リンク共有手段は、前記ユーザが指定した前記画像データにアクセス可能なＵＲＬを生成して、電子メールまたはＳＮＳのメッセージによって前記ＵＲＬを他のユーザに送信する
ことを特徴とする請求項１〜１２のいずれか１項に記載の注文受付システム。
【請求項１４】
前記画像データが写真スタジオで撮影した画像データであって、
前記写真スタジオで撮影がなされた際に、前記注文において利用可能なポイントを前記ユーザに対して付与するポイント付与手段を備え、
前記ユーザ情報保存手段が、前記ユーザごとにポイント数の情報を保存する
ことを特徴とする請求項１〜１３のいずれか１項に記載の注文受付システム。
【請求項１５】
前記注文を受けて、前記画像データのダウンロードの提供、または前記画像データをプリントアウトしたプリント物の提供を行う
ことを特徴とする請求項１〜１４のいずれか１項に記載の注文受付システム。
【手続補正２】
【補正対象書類名】明細書
【補正対象項目名】０００９
【補正方法】変更
【補正の内容】
【０００９】
（２）前記アクセス期間管理手段は、前記画像データそれぞれの前記撮影日付から所定の期間を前記アクセス期間として設定することが好ましい。
【手続補正３】
【補正対象書類名】明細書
【補正対象項目名】００１０
【補正方法】変更
【補正の内容】
【００１０】
（３）前記閲覧画面提供手段は、前記ユーザに関連する前記アクセス期間中の前記画像データを、前記撮影日付に応じてまとめた画像カタログとして表示するようにしたことが好ましい。
（４）前記アクセス期間管理手段は、前記ユーザからの注文を受けた場合に、前記アクセス期間を一定期間延長することが好ましい。
【手続補正４】
【補正対象書類名】明細書
【補正対象項目名】００１１
【補正方法】変更
【補正の内容】
【００１１】
（５）前記アクセス期間管理手段は、前記撮影日付から所定の期間に加えて、年中行事の期日の前または後における所定の期間を前記アクセス期間に追加することが好ましい。
（６）前記年中行事は、正月、クリスマス、またはお盆であることが好ましい。
【手続補正５】
【補正対象書類名】明細書
【補正対象項目名】００１２
【補正方法】変更
【補正の内容】
【００１２】
（７）前記アクセス期間管理手段は、前記撮影日付から所定の期間に加えて、撮影日付から一定の期間が経過する期日の前または後における所定の期間を前記アクセス期間に追加することが好ましい。
（８）前記撮影日付から一定の期間は、１シーズン、２シーズン、３シーズン、または１年間であることが好ましい。
【手続補正６】
【補正対象書類名】明細書
【補正対象項目名】００１３
【補正方法】変更
【補正の内容】
【００１３】
（９）ここで開示する注文受付システムは、前記アクセス期間を経過して閲覧ができなくなった後、前記アクセス期間に所定の期間が追加されたことにより再度閲覧をできるようになった場合に、前記ユーザに前記画像データの前記アクセス期間が到来することを通知するアクセス再開通知手段を備えることが好ましい。
【手続補正７】
【補正対象書類名】明細書
【補正対象項目名】００１４
【補正方法】変更
【補正の内容】
【００１４】
（１０）ここで開示する注文受付システムは、前記アクセス期間の満了が近づいた場合に、前記ユーザに前記画像データのアクセス期間の満了が近いことを通知するアクセス期限通知手段を備えることが好ましい。
【手続補正８】
【補正対象書類名】明細書
【補正対象項目名】００１５
【補正方法】変更
【補正の内容】
【００１５】
（１１）ここで開示する注文受付システムは、前記ユーザが指定した前記画像データについて、前記マイページを介して他のユーザによる閲覧または注文が可能となるよう、前記ユーザが前記他のユーザに対して共有設定を行うマイページ共有手段を備え、前記閲覧画面提供手段は、前記注文受付サービスにログインを行った前記他のユーザが操作するユーザ端末に、前記マイページ共有手段によって共有設定された前記画像データであるとともに前記アクセス期間中の前記画像データを表示するようにしたことが好ましい。
【手続補正９】
【補正対象書類名】明細書
【補正対象項目名】００１６
【補正方法】変更
【補正の内容】
【００１６】
（１２）ここで開示する注文受付システムは、前記ユーザが他のユーザに対して共有設定を行う際に、前記他のユーザの招待を受け付けるアカウント招待手段と、前記他のユーザが操作する前記ユーザ端末から前記顧客情報の入力を受けて前記識別情報の登録を行うアカウント登録手段とを備え、前記アカウント招待手段は、電子メールまたはＳＮＳのメッセージによって、前記アカウント登録手段にアクセス可能なＵＲＬを前記他のユーザに送信することが好ましい。
【手続補正１０】
【補正対象書類名】明細書
【補正対象項目名】００１７
【補正方法】変更
【補正の内容】
【００１７】
（１３）ここで開示する注文受付システムは、前記ユーザが指定した前記画像データについて、前記画像データへのリンクを介して他のユーザによる閲覧または注文が可能となるよう共有設定を行うリンク共有手段を備え、前記リンク共有手段は、前記ユーザが指定した前記画像データにアクセス可能なＵＲＬを生成して、電子メールまたはＳＮＳのメッセージによって前記ＵＲＬを他のユーザに送信することが好ましい。
【手続補正１１】
【補正対象書類名】明細書
【補正対象項目名】００１８
【補正方法】変更
【補正の内容】
【００１８】
（１４）ここで開示する注文受付システムは、前記画像データが写真スタジオで撮影した画像データであって、前記写真スタジオで撮影がなされた際に、前記注文において利用可能なポイントを前記ユーザに対して付与するポイント付与手段を備え、前記ユーザ情報保存手段が、前記ユーザごとにポイント数の情報を保存することが好ましい。
【手続補正１２】
【補正対象書類名】明細書
【補正対象項目名】００１９
【補正方法】変更
【補正の内容】
【００１９】
（１５）ここで開示する注文受付システムは、前記注文を受けて、前記画像データのダウンロードの提供、または前記画像データをプリントアウトしたプリント物の提供を行うことが好ましい。